【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
特定の移動端末と、前記移動端末によるアクセスが可能な特定加入者用セルに設けられた基地局と、前記移動端末による前記特定加入者用セルへのアクセスおよび前記移動端末の位置を追跡するためのトラッキングエリアを管理する基地局制御装置とを含む移動体通信システムにおいて実行される通信方法であって、
前記移動端末から、前記移動端末によって手動で選択された前記基地局を経由して前記基地局制御装置に、トラッキングエリアの更新を要求する工程と、
前記基地局制御装置において、前記移動端末による前記特定加入者用セルへのアクセスが許可されているかどうかをチェックする工程と、
前記移動端末による前記特定加入者用セルへのアクセスが許可されている場合に、前記基地局制御装置から前記基地局を経由して前記移動端末に、トラッキングエリアの更新を承諾する工程と、
前記移動端末がトラッキングエリアの更新を承諾された場合に、前記移動端末が前記特定加入者用セルを、アクセスが許可された特定加入者用セルのリストに追加する工程とを含むことを特徴とする通信方法。
【請求項２】
特定の移動端末と、前記移動端末によるアクセスが可能な特定加入者用セルに設けられた基地局と、前記移動端末による前記特定加入者用セルへのアクセスおよび前記移動端末の位置を追跡するためのトラッキングエリアを管理する基地局制御装置とを含む移動体通信システムであって、
前記移動端末は、
前記移動端末によって手動で選択された前記基地局を経由して前記基地局制御装置に、トラッキングエリアの更新を要求する要求手段と、
前記基地局制御装置によってトラッキングエリアの更新が承諾された場合に、前記移動端末によって手動で選択された前記基地局が設けられている前記特定加入者用セルを、アクセスが許可された特定加入者用セルのリストに追加する追加手段とを備え、
前記基地局制御装置は、
前記移動端末による前記特定加入者用セルへのアクセスが許可されているかどうかをチェックするチェック手段と、
前記移動端末による前記特定加入者用セルへのアクセスが許可されている場合に、前記基地局を経由して前記移動端末に、トラッキングエリアの更新を承諾する承諾手段とを備えたことを特徴とする移動体通信システム。
【請求項３】
特定の移動端末と、前記移動端末によるアクセスが可能な特定加入者用セルに設けられた基地局と、前記移動端末による前記特定加入者用セルへのアクセスおよび前記移動端末の位置を追跡するためのトラッキングエリアを管理する基地局制御装置とを含む移動体通信システムにおける前記移動端末であって、
前記移動端末によって手動で選択された前記基地局を経由して前記基地局制御装置に、トラッキングエリアの更新を要求する要求手段と、
前記基地局制御装置によってトラッキングエリアの更新が承諾された場合に、前記移動端末によって手動で選択された前記基地局が設けられている前記特定加入者用セルを、アクセスが許可された特定加入者用セルのリストに追加する追加手段とを備えたことを特徴とする移動端末。
【請求項４】
特定の移動端末と、前記移動端末によるアクセスが可能な特定加入者用セルに設けられた基地局と、前記移動端末による前記特定加入者用セルへのアクセスおよび前記移動端末の位置を追跡するためのトラッキングエリアを管理する基地局制御装置とを含む移動体通信システムにおける前記基地局制御装置であって、
前記移動端末による前記特定加入者用セルへのアクセスが許可されているかどうかをチェックするチェック手段と、
前記移動端末による前記特定加入者用セルへのアクセスが許可されている場合に、前記基地局を経由して前記移動端末に、トラッキングエリアの更新を承諾する承諾手段とを備えたことを特徴とする基地局制御装置。
【手続補正２】
【補正対象書類名】明細書
【補正対象項目名】発明の名称
【補正方法】変更
【補正の内容】
【発明の名称】通信方法、移動体通信システム、移動端末および基地局制御装置
【手続補正３】
【補正対象書類名】明細書
【補正対象項目名】０００１
【補正方法】変更
【補正の内容】
【０００１】
本発明は、基地局が複数の移動端末と無線通信を実施する移動体通信システム、前記移動体通信システムにおいて実行される通信方法、ならびに前記移動体通信システムにおける移動端末および基地局制御装置に関するものである。
【手続補正４】
【補正対象書類名】明細書
【補正対象項目名】００３０
【補正方法】変更
【補正の内容】
【００３０】
本発明にかかる通信方法は、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む移動体通信システムにおいて実行される通信方法であって、移動端末から、移動端末によって手動で選択された基地局を経由して基地局制御装置に、トラッキングエリアの更新を要求する工程と、基地局制御装置において、移動端末による特定加入者用セルへのアクセスが許可されているかどうかをチェックする工程と、移動端末による特定加入者用セルへのアクセスが許可されている場合に、基地局制御装置から基地局を経由して移動端末に、トラッキングエリアの更新を承諾する工程と、移動端末がトラッキングエリアの更新を承諾された場合に、移動端末が特定加入者用セルを、アクセスが許可された特定加入者用セルのリストに追加する工程とを含むものである。
本発明にかかる移動体通信システムは、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む移動体通信システムであって、移動端末は、移動端末によって手動で選択された基地局を経由して基地局制御装置に、トラッキングエリアの更新を要求する要求手段と、基地局制御装置によってトラッキングエリアの更新が承諾された場合に、移動端末によって手動で選択された基地局が設けられている特定加入者用セルを、アクセスが許可された特定加入者用セルのリストに追加する追加手段とを備え、基地局制御装置は、移動端末による特定加入者用セルへのアクセスが許可されているかどうかをチェックするチェック手段と、移動端末による特定加入者用セルへのアクセスが許可されている場合に、基地局を経由して移動端末に、トラッキングエリアの更新を承諾する承諾手段とを備えたものである。
本発明にかかる移動端末は、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む移動体通信システムにおける移動端末であって、移動端末によって手動で選択された基地局を経由して基地局制御装置に、トラッキングエリアの更新を要求する要求手段と、基地局制御装置によってトラッキングエリアの更新が承諾された場合に、移動端末によって手動で選択された基地局が設けられている特定加入者用セルを、アクセスが許可された特定加入者用セルのリストに追加する追加手段とを備えたものである。
本発明にかかる基地局制御装置は、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む移動体通信システムにおける基地局制御装置であって、移動端末による特定加入者用セルへのアクセスが許可されているかどうかをチェックするチェック手段と、移動端末による特定加入者用セルへのアクセスが許可されている場合に、基地局を経由して移動端末に、トラッキングエリアの更新を承諾する承諾手段とを備えたものである。
【手続補正５】
【補正対象書類名】明細書
【補正対象項目名】００３１
【補正方法】変更
【補正の内容】
【００３１】
本発明にかかる通信方法は、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む移動体通信システムにおいて実行される。移動端末から、移動端末によって手動で選択された基地局を経由して基地局制御装置に、トラッキングエリアの更新が要求される。基地局制御装置において、移動端末による特定加入者用セルへのアクセスが許可されているかどうかがチェックされる。移動端末による特定加入者用セルへのアクセスが許可されている場合に、基地局制御装置から基地局を経由して移動端末に、トラッキングエリアの更新が承諾される。移動端末がトラッキングエリアの更新を承諾された場合に、移動端末によって、特定加入者用セルが、アクセスが許可された特定加入者用セルのリストに追加される。
本発明にかかる移動体通信システムは、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む。移動端末は、要求手段と、追加手段とを備える。要求手段は、移動端末によって手動で選択された基地局を経由して基地局制御装置に、トラッキングエリアの更新を要求する。追加手段は、基地局制御装置によってトラッキングエリアの更新が承諾された場合に、移動端末によって手動で選択された基地局が設けられている特定加入者用セルを、アクセスが許可された特定加入者用セルのリストに追加する。基地局制御装置は、チェック手段と、承諾手段とを備える。チェック手段は、移動端末による特定加入者用セルへのアクセスが許可されているかどうかをチェックする。承諾手段は、移動端末による特定加入者用セルへのアクセスが許可されている場合に、基地局を経由して移動端末に、トラッキングエリアの更新を承諾する。
本発明にかかる移動端末は、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む移動体通信システムにおける移動端末である。移動端末は、要求手段と、追加手段を備える。要求手段は、移動端末によって手動で選択された基地局を経由して基地局制御装置に、トラッキングエリアの更新を要求する。追加手段は、基地局制御装置によってトラッキングエリアの更新が承諾された場合に、移動端末によって手動で選択された基地局が設けられている特定加入者用セルを、アクセスが許可された特定加入者用セルのリストに追加する。
本発明にかかる基地局制御装置は、特定の移動端末と、移動端末によるアクセスが可能な特定加入者用セルに設けられた基地局と、移動端末による特定加入者用セルへのアクセスおよび移動端末の位置を追跡するためのトラッキングエリアを管理する基地局制御装置とを含む移動体通信システムにおける基地局制御装置である。基地局制御装置は、チェック手段と、承諾手段とを備える。チェック手段は、移動端末による特定加入者用セルへのアクセスが許可されているかどうかをチェックする。承諾手段は、移動端末による特定加入者用セルへのアクセスが許可されている場合に、基地局を経由して移動端末に、トラッキングエリアの更新を承諾する。